(57)【要約】【課題】そこで、前記問題点に鑑みて、本発明は、簡単な構成で、用紙を収納部に押し戻すことができる給紙機構を提供する。【解決手段】複数の用紙Ｐを重ねて収納可能な収納部２と、部分的に欠損した円周状の紙送り部５ａを有し、収納部２に収納された用紙Ｐ１の表面に紙送り部５ａ当接させて回転し、摩擦力によって用紙Ｐ１を送り出す給紙ローラ５と、送り出される用紙Ｐ１の裏面に当接して、用紙Ｐ１に随伴する次の用紙Ｐ２を分離する摩擦部材６を有する捌き台７とを備える給紙機構１において、捌き台７を、回動可能に枢支し、非給紙動作時は、摩擦部材６を収納部２に対向させ、給紙動作時は、摩擦部材６を給紙ローラ５に対向させる。【選択図】図１
2007168956.tif 000002
【特許請求の範囲】
【請求項１】
複数の用紙を重ねて収納可能な収納部と、
部分的に欠損した円周状の紙送り部を有し、前記収納部に収納された用紙の表面に前記紙送り部を当接させて回転し、摩擦力によって前記用紙を送り出す給紙ローラと、
前記送り出される用紙の裏面に当接して、前記用紙に随伴する次の用紙を分離する摩擦部材を有する捌き台とを備える給紙機構であって、
前記捌き台は、回動可能に枢支され、非給紙動作時は、前記摩擦部材を前記収納部に対向させ、給紙動作時は、前記摩擦部材を前記給紙ローラに対向させることを特徴とする給紙機構。
【請求項２】
前記捌き台は、自重または付勢されて前記収納部に対向し、
前記給紙ローラは、回転することで前記捌き台の一部分に当接して前記捌き台を回動させて、前記摩擦部材を前記給紙ローラに対向させることを特徴とする請求項１に記載の給紙機構。
【請求項３】
前記給紙ローラは、前記紙送り部の回転方向前方に、前記捌き台に当接する低摩擦の当接部を有することを特徴とする請求項２に記載の給紙機構。
【請求項４】
前記捌き台は、前記回動の中心が前記給紙ローラから離間するように移動可能であり、前記給紙ローラに向かって付勢されていることを特徴とする請求項１または２に記載の給紙機構。
【発明の詳細な説明】
【技術分野】
【０００１】
本発明は、給紙機構に関する。
【背景技術】
【０００２】
画像形成装置等は、収納部に収納された用紙を１枚ずつ装置内に供給する給紙機構を備える。従来の給紙機構は、用紙の表面に当接して回転し、摩擦力によって用紙を送り出す給紙ローラと、送り出される用紙の裏面に当接し、その用紙に随伴して送り出されようとする次の用紙を分離する摩擦部材を有する捌き台とを備える。
【０００３】
摩擦部材によって引き留められた用紙は、そのまま先端が捌き台の上に載った状態になる。用紙の先端が捌き台に載っていると、特に、その上に新しい用紙を補充した場合に、重送や紙詰まりのトラブルを発生させることがある。
【０００４】
特許文献１および２には、捌き台に載った用紙を収納部に押し戻すために揺動するレバー状の部材を設けた給紙機構が記載されている。しかしながら、それらの給紙機構は、用紙を押し戻す部材を所定のタイミングで駆動する機構が必要である。
【特許文献１】特開平３−２７２９４０号公報
【特許文献２】特開平６−２７８８８９号公報
【発明の開示】
【発明が解決しようとする課題】
【０００５】
そこで、前記問題点に鑑みて、本発明は、簡単な構成で、用紙を収納部に押し戻すことができる給紙機構を提供することを課題とする。
【課題を解決するための手段】
【０００６】
前記課題を解決するために、本発明による給紙機構は、複数の用紙を重ねて収納可能な収納部と、部分的に欠損した円周状の紙送り部を有し、前記収納部に収納された用紙の表面に前記紙送り部を当接させて回転し、摩擦力によって前記用紙を送り出す給紙ローラと、前記送り出される用紙の裏面に当接して、前記用紙に随伴する次の用紙を分離する摩擦部材を有する捌き台とを備える給紙機構であって、前記捌き台は、回動可能に枢支され、非給紙動作時は、前記摩擦部材を前記収納部に対向させ、給紙動作時は、前記摩擦部材を前記給紙ローラに対向させるものとする。
【０００７】
この構成によれば、別部材を設けることなく、捌き台を回動させることで、用紙を収納部に押し戻すことができる。
【０００８】
また、本発明の給紙機構において、前記捌き台は、自重または付勢されて前記収納部に対向し、前記給紙ローラは、回転することで前記捌き台の一部分に当接して前記捌き台を回動させて、前記摩擦部材を前記給紙ローラに対向させてもよい。
【０００９】
この構成によれば、給紙ローラの回転を利用して捌き台を回動させるので、用紙を押し戻すために特別な駆動装置を必要としない。
【００１０】
また、本発明の給紙機構において、前記給紙ローラは、前記紙送り部の回転方向前方に、前記捌き台に当接する低摩擦の当接部を有してもよい。
【００１１】
この構成によれば、捌き部材の回動をスムーズに行える。
【００１２】
また、本発明の給紙機構において、前記捌き台は、前記回動の中心が前記給紙ローラから離間するように移動可能であり、前記給紙ローラに向かって付勢されていてもよい。
【００１３】
この構成によれば、用紙の分離が確実になる。
【発明の効果】
【００１４】
以上のように、本発明によれば、捌き台を回動させるので、構成要素が少なく、簡単な機構で用紙を収納部に押し戻すことができる。これによって、紙詰まりなどのトラブルの少ない給紙機構を提供できる。
【発明を実施するための最良の形態】
【００１５】
これより、本発明の実施形態について、図面を参照しながら説明する。
図１は、本発明の実施形態である給紙機構１を示す。給紙機構１は、記録紙Ｐを重ねて収納する収納部２から、矢印方向に、１枚ずつ記録紙Ｐを送り出すものである。給紙機構１は、収納部１の前方のフレーム３上方に、駆動軸４によって回転させられる給紙ローラ５を備え、フレーム３には、摩擦部材６を有する捌き台７を支持する支持部材８を備える。また、給紙機構１は、収納部２に収納された用紙Ｐの先端部を持ち上げて給紙ローラ５に押し付けることができる押上板９を備える。
【００１６】
給紙ローラ５は、例えば半月形ないし扇形のように、円周面の一部を部分的に欠損させた形状のローラである。給紙ローラ５は、円周面に、例えば、摩擦力を高めるために溝加工されたゴムが取り付けられ、用紙Ｐに当接して摩擦力で送り出す紙送り部５ａが形成され、紙送り部５ａの回転方向前方に、摩擦力の低い樹脂性の当接部５ｂが形成されている。給紙ローラ５は、待機状態において、図１に示すように、紙送り部５ａが捌き台７の略反対側に対向する位置、つまり、円周の欠損部分を捌き台７に対向させる位置に停止する（ホームポジション）。
【００１７】
捌き台７は、支持部材８に回動軸１０を中心に回動可能に支持され、弱い回動ばね１１によって、摩擦部材６を収納部２に対向させる方向に付勢されている。支持部材８は、フレーム３に、給紙ローラ５に向かって突出可能に取り付けられ、伸長ばね１２によって、回動軸１０を給紙ローラ５に近づける方向に付勢されている。
【００１８】
続いて、図２から１３に、給紙機構１の給紙動作を順番に示し、各図を参照しながら説明する。
給紙機構１が用紙Ｐを送り出すときは、先ず、図２に示すように、給紙ローラ５を回転し、当接部５ｂを捌き台７の上端に当接させる。そして、図３に示すように、給紙ローラ５が回転することで、当接部５ｂが捌き台７を回動軸１０周りに回動させる。このとき、回動ばね１１の付勢力が弱く、当接部５ｂの摩擦が低いので、捌き台７は、給紙ローラ５の回転に影響を与えるような大きな負荷とはならない。
【００１９】
さらに、図４に示すように、給紙ローラ５は、摩擦部材６が給紙ローラ５に対向するまで、捌き台７を回動させる。この状態で、摩擦部材６は、従来の給紙機構に設けられるものと同じ配置になる。
【００２０】
捌き台７が給紙ローラ５に対向したら、図５に示すように、押上板９を回動させて、収納部２に収納されている用紙Ｐの先端を給紙ローラ５の紙送り部５ａに押し当てる。すると、紙送り部５ａは、摩擦力によって１番上の用紙Ｐ１を給紙ローラ５の回転とともに引きずり出す。このとき、用紙Ｐ同士の摩擦力によって、２枚目以降の用紙Ｐ２も用紙Ｐ１に引きずり出される。
【００２１】
図６に示すように、さらに給紙ローラ５が回転すると、１枚目の用紙Ｐ１は、裏面に摩擦部材６が当接するが、給紙ローラ５の摩擦力が摩擦部材６の摩擦力に勝るので、摩擦部材６を擦過して下流側に送り出される。
【００２２】
一方、２枚目の用紙Ｐ２は、摩擦部材６に当接すると、用紙Ｐ１との摩擦力が摩擦部材６の摩擦力に劣るため、先端が摩擦部材６に当接した状態で引き留められる。このとき、伸長ばね１２は、捌き台７を上方に付勢して、摩擦部材６の用紙Ｐ２に対する摩擦力を安定して発揮させる。
【００２３】
図７に示すように、用紙Ｐ１の先端を給紙ローラ５よって引き出したら、押上板９が下がり、用紙Ｐの束は、下方に後退する。このとき、摩擦部材６の上に載っている用紙Ｐ１およびＰ２は、押上板９とともに後退することができず、他の用紙Ｐから浮き上がった状態に保持される。そして、図８に示すように、給紙ローラ５がさらに回転して用紙Ｐ１を下流側に送り出し、不図示の搬送ローラに用紙Ｐ１を把持して引き出させる。
【００２４】
図９に示すように、給紙ローラ５は、さらに回転してホームポジションに停止する。すると、図１０に示すように、捌き台７は、回動ばね１１によって、摩擦部材６を収納部２側に向けるように回動し始める。しかし、回動ばね１０は、弱いばねであるので、捌き台７を急激に回動させて下流の搬送ローラによる１枚目の用紙Ｐ１の引き出しを阻害したり、用紙Ｐ１を傷つけることはない。
【００２５】
１枚目の用紙Ｐ１の張力がなくなると、図１１に示すように、捌き台７は、さらに回動するが、２枚目の用紙Ｐ２は、先端が摩擦部材６に当接したまま移動する。図１２に示すように、捌き台７が摩擦部材６を収納部２に対向させる最初の位置にまで回動すると、用紙Ｐ２は、自重で他の用紙Ｐの上に落下してゆき、図１３に示すように、用紙Ｐの束の１番上に配置される。
【００２６】
なお、本発明では、回動ばね１１を設けずに、捌き台７を自重でホームポジションに回動させてもよい。
【図面の簡単な説明】
【００２７】
【図１】本発明の実施形態の給紙機構の概略図。
【図２】図１の給紙機構の給紙動作開始時を示す概略図。
【図３】図１の給紙機構の給紙動作の図２の次の状態を示す概略図。
【図４】図１の給紙機構の給紙動作の図３の次の状態を示す概略図。
【図５】図１の給紙機構の給紙動作の図４の次の状態を示す概略図。
【図６】図１の給紙機構の給紙動作の図５の次の状態を示す概略図。
【図７】図１の給紙機構の給紙動作の図６の次の状態を示す概略図。
【図８】図１の給紙機構の給紙動作の図７の次の状態を示す概略図。
【図９】図１の給紙機構の給紙動作の図８の次の状態を示す概略図。
【図１０】図１の給紙機構の給紙動作の図９の次の状態を示す概略図。
【図１１】図１の給紙機構の給紙動作の図１０の次の状態を示す概略図。
【図１２】図１の給紙機構の給紙動作の図１１の次の状態を示す概略図。
【図１３】図１の給紙機構の給紙動作終了時を示す概略図。
【符号の説明】
【００２８】
１  給紙機構
２  収納部
５  給紙ローラ
５ａ  紙送り部
５ｂ  当接部
６  摩擦部材
７  捌き台
１１  回動ばね
１２  伸長ばね
【図１】
2007168956.tif 000003
【図２】
2007168956.tif 000004
【図３】
2007168956.tif 000005
【図４】
2007168956.tif 000006
【図５】
2007168956.tif 000007
【図６】
2007168956.tif 000008
【図７】
2007168956.tif 000009
【図８】
2007168956.tif 000010
【図９】
2007168956.tif 000011
【図１０】
2007168956.tif 000012
【図１１】
2007168956.tif 000013
【図１２】
2007168956.tif 000014
【図１３】
2007168956.tif 000015